(57)【特許請求の範囲】
【請求項１】
天井から室内に輻射熱を出す加熱手段と、天井の下方に滞留した暖気を室内の下部に送るための送風手段と、２個の温度センサを有し、
上記送風手段は、室内の側壁の上部に設けられ、上記２個の温度センサは、上記送風手段を設けた側壁と対向する側壁の上部と下部に設けられ、
上記送風手段から送風する風の噴出し方向を、上記温度センサを備えた側壁側に向けて略水平または斜め上方とし、
この室内の側壁の上部と下部に設置した２つの温度センサで検出された温度の差が設定値よりも大きくなると、送風手段をオンにするように制御する制御部を設けて成ることを特徴とする天井暖房装置。
【請求項２】
送風手段がエアコンディショナであることを特徴とする請求項１記載の天井暖房装置。 
【発明の詳細な説明】
【技術分野】
【０００１】
本発明は、天井から室内に輻射熱を出すようにした天井暖房装置に関するものである。
【背景技術】
【０００２】
従来から、天井から輻射熱を出して快適な室内暖房をするものとして、天井に室内に輻射熱を出す輻射パネルを設け、更に、天井に天井扇を設けたものが特許文献１により知られている。
【０００３】
この特許文献１にあっては天井の中央部のやや下方位置に天井扇を吊り下げ、天井と壁にそれぞれ温度センサを設け、天井を構成する輻射パネルに設けた温度センサと壁に設けた温度センサにおける検出温度の差が所定値を越えると天井扇を逆回転して下側の冷たい空気を強制的に上に送って天井側に送り込み、天井の下方の領域に滞留している暖かい空気を下方に押下げるようになっている。
【０００４】
ところが、この従来例にあっては、天井を構成する輻射パネルに設けた温度センサと壁に設けた温度センサとにおける検出温度の差が所定値を越えると天井扇を運転するようになっている。つまり、輻射パネルの温度と室内の温度との差を検出することになり、したがって、輻射パネルの加熱運転の初期のように天井の下方に暖かい空気が滞留していない場合でも、輻射パネルの温度が高いと輻射パネルに設けた温度センサがこれを検出して、この輻射パネルの温度と、壁に設けた温度センサによる検出した温度との間に所定の温度差があると天井扇が運転されてしまって、あまり暖かくない空気を対流させ、あまり暖かくない空気が室内に居る人に触れて寒いという感じを与えてしまうという問題がある。
【特許文献１】特開平６−１５９７７４号公報
【発明の開示】
【発明が解決しようとする課題】
【０００５】
本発明は上記の従来の問題点に鑑みて発明したものであって、天井輻射暖房の際に天井の下方に暖かい空気が滞留した際に室内との温度差に基づいて効果的に室内の下部を暖めることができる天井暖房装置を提供することを課題とするものである。
【課題を解決するための手段】
【０００６】
本発明に係る天井暖房装置は、天井１から室内に輻射熱を出す加熱手段２と、天井１の下方に滞留した暖気を室内の下部に送るための送風手段３と、２個の温度センサ４、５を有している。上記送風手段３は、室内の側壁（壁７）の上部に設けられ、上記２個の温度センサ４、５は、上記送風手段３を設けた側壁と対向する側壁（壁７）の上部と下部に設けられている。上記送風手段３から送風する風の噴出し方向を、上記温度センサ４、５を備えた側壁側に向けて略水平または斜め上方とし、この室内の側壁の上部と下部に設置した２つの温度センサ４、５で検出された温度の差が設定値よりも大きくなると、送風手段３をオンにするように制御する制御部６を設けてある。
【０００７】
加熱手段２で加熱して天井１から室内に輻射熱を放出して室内を暖房すると、不快な気流がなく、空気が乾燥しないので快適な暖房ができる。しかしながら、このように、天井１から輻射熱を放出して室内の暖房をするものにおいては、室内空間の上部、つまり天井１の下方付近に暖気が滞留するが、本発明においては、室内の側壁の上部に配置した温度センサ４で室内の上部の空気の温度を検出し、室内の側壁の下部に配置した温度センサ５で室内の下部の空気の温度を検出して、この２つの温度センサ４、５で検出された室内の上部の空気の温度と下部の空気の温度の差が設定値よりも大きくなると、送風手段３をオンにして、天井１の下方に滞留した暖気を室内の下部に送って室内の下部を暖め、室内の上部の空気と下部の空気との温度差を少なくする。
【０００８】
また、送風手段３がエアコンディショナ３ａであることが好ましい。
【０００９】
このような構成とすることで、天井１からの輻射熱の放出による室内の暖房と、エアコンディショナ３ａによる暖房を併用したり、あるいは、いずれかを選択して使用することができる。
【発明の効果】
【００１０】
本発明は、２個の温度センサのうちの１つを天井よりも下方の室内の上部に配置し且つ他の１つを室内の下部に配置して、この２つの温度センサで検出された温度の差が設定値よりも大きくなると、送風手段をオンにするように構成してあるので、天井輻射暖房において天井の下方に暖気が滞留して室内の上部の空気と下部の空気との温度差が所定値以上となると、送風手段により室内の上部に滞留した空気を室内の下部に下降させて、室内の下部の温度を高めて下部を暖めると共に室内の上部の温度を低下させ、室内の上部と下部との温度差を小さくして快適な暖房環境を現出することができ、また、上記のように送風手段により上部に滞留した暖気を下降させて上部の温度を低下できるので、天井１の表面の温度も低下し、天井１からの輻射熱の放熱が効率よく行えるようになって、室内全体に対して天井輻射暖房が効果的に行える。
【００１１】
また、送風手段がエアコンディショナであると、天井からの輻射熱の放出による室内の暖房と、エアコンディショナによる暖房を併用したり、あるいは、いずれかを選択して使用することができ、簡単な構成で目的に応じた最適の暖房が選択できる。
【発明を実施するための最良の形態】
【００１２】
以下、本発明を添付図面に示す実施形態に基いて説明する。
【００１３】
天井１には室内に輻射熱を出して室内を暖房するための加熱手段２が設けてある。図１に示す実施形態においては、電気ヒータのような加熱手段２を内装した天井パネル１ａにより天井１を構成することで、天井１から室内に輻射熱を放出して室内を暖房することができるようになっている。
【００１４】
室内の任意の壁７の上部には送風手段３が設けてある。
【００１５】
また、室内には２個の温度センサ４、５が設けてある。この２個の温度センサ４、５のうちの１つの温度センサ４は天井１よりも下方の室内の上部に配置してあって室内の上部の空気の温度を検出するようになっている。また、他の１つの温度センサ５は室内の下部に配置してあって室内の下部の空気の温度を検出するようになっている。
【００１６】
上記２個の温度センサ４、５は壁７に取付けてある。添付図面に示す実施形態においては、上記送風手段３を設けた壁７と対向する壁７の上部と下部に２個の温度センサ４、５を設けてある。更に、送風手段３を設けた壁７と対向する壁７の上部には、上記送風手段３と対向して赤外線送信部９が設けてある。また、該壁７には制御部６を備えたコントローラ８、リレーユニット１０が設けてある。そして、コントローラ８に設けた操作部を操作することで、リレーユニット１０を介して加熱手段２を制御すると共に赤外線送信部９を介して送風手段３を制御するようになっている。
【００１７】
本発明においては、加熱手段２をオンにすることで、天井１から輻射熱を室内に放出して室内の暖房ができる。
【００１８】
ここで、天井１から輻射熱を放出して室内の暖房をするものにおいては、暖かい空気は軽いため室内空間の上部、つまり天井１の下方付近に滞留していくので、室内の上部の空気の温度と下部の空気の温度との温度差が次第に大きくなり、人の頭や顔のように天井１に近い部分が火照ったり、足元が冷える感じがしたりして不快な感じがしてくる。
【００１９】
そこで、本発明においては、室内の上部に配置した温度センサ４で室内の上部の空気の温度を検出すると共に、室内の下部に配置した温度センサ５で室内の下部の空気の温度を検出し、この２つの温度センサ４、５で検出した温度情報を制御部６に入力し、上記２つの温度センサ４、５で検出された室内の上部の空気の温度と下部の空気の温度の差が設定値よりも大きくなると、制御部６により送風手段３をオンにする制御を行う。
【００２０】
送風手段３をオンにすると、天井１の下方に滞留した暖気が室内の下部に送られ、室内の下部を暖め、室内の上部の空気と下部の空気との温度差を少なくすることができる。
【００２１】
上記のように本発明は、温度センサ４で室内の上部の空気の温度を検出すると共に、室内の下部に配置した温度センサ５で室内の下部の空気の温度を検出し、この２つの温度センサ４、５で検出した室内の上部の空気と下部の空気の温度差を検出するので、天井１の下方に暖気が滞留してなくて、加熱手段２により天井１の表面温度は高いが、室内の上部の空気と下部の空気の温度差があまりないような場合は、望ましい暖房中であるため送風手段３がオフからオンとならず、望ましい暖房運転を継続することができ、天井１の下方に暖気が滞留して室内の上部の空気と下部の空気の温度差が所定値を超えると、火照りなどの不快感が生じるので、送風手段３をオンにして火照りなどのない暖房環境にするのである。
【００２２】
また、添付図面に示すように、送風手段３を任意の壁７の上部に設け、送風手段３を設けた壁７と対向する壁７の上部と下部に２個の温度センサ４、５を設けることで、天井１の下方に暖気が滞留し、上記のように送風手段３をオンにして送風すると、該送風手段３で送風された風が送風手段３を設けた壁７の上部側からこれと対向する壁７側（つまり２つの温度センサ４を設けた壁７側）に流れ、天井１下方に滞留していた暖気が２つの温度センサ４を設けた壁７の上部から下部に沿いながら下降して室内の下部を温めることになる。この場合、送風手段３により移動する天井１の下方に滞留した暖気の最後の部分は上の温度センサ４付近を通って下降することになり、したがって、滞留していた暖気の最後の部分が通過すると、つまり、天井１の下方における暖気の滞留がなくなると同時に上の温度センサ４がこれを検出し、２個の温度センサ４、５による室内の上部の空気と下部の空気との温度差が小さくなるので、送風手段３を自動的にオフにすることができる。これにより、上方に滞留していた暖気が下降した後も継続して送風手段３の送風により温度センサ４、５を設けた側の壁７に沿って比較的温度の低い下降流が生じることがなく、不快感が生じないようにできる。
【００２３】
なお、送風手段３から送風する風の噴出し方向は略水平又は水平よりも上向きとなった斜め方向とするのが好ましい。特に、水平よりも上向きとなった斜め方向とすると、天井１の一方の端部から他方の端部にかけて全巾にわたって送風を沿わせることができ、天井１の下方の全域に滞留した暖気を他方の対向する壁７に沿わせて上部から下部に下降させて室内の下部を暖めることができる。
【００２４】
また、送風手段３からの風の噴出し方向が水平よりも上向きとなった斜め方向となっていると、上記のように天井１の一方の端部から他方の端部にかけて全巾にわたって送風を沿わせて滞留した暖気を室内の下部に送ることができるので、天井１と壁７とのなすコーナ部分などに暖気が滞留し続けることがなく、より確実に室内の下部と上部との温度差を少なくすることができる。
【００２５】
なお、送風手段３をオンする場合、同時に加熱手段２をオンからオフに切り換えるようにし、更に、送風手段３をオンからオフにすると同時に再び加熱手段２をオフからオンとなるように制御部６により制御するようにしてもよい。
【００２６】
また、送風手段３をオンからオフに切り換えるに当っては、２つの温度センサ４、５で検出した温度の温度差が所定値以下になると自動的にオンからオフに切り換わるようにしてもよく、あるいは、送風手段３をオンにして所定時間（例えば数分）経過すると自動的にオンからオフに切り換えるように制御してもよい。
【００２７】
送風手段３としては、温度調整機能のない室内空気を送風するだけのものであってもよく、また、室内空気の温調機能を備えたエアコンディショナ３ａであってもよい。
【００２８】
送風手段３をエアコンディショナ３ａで構成する場合は、上記加熱手段２による天井１からの輻射熱の放出による室内の暖房と、エアコンディショナ３ａによる暖房を併用したり、あるいは、いずれかを選択して使用することが可能となる。また、加熱手段２により天井１からの輻射熱の放出による室内暖房をしている時、前述のように天井１の下方付近に暖気が滞留した場合、送風手段３であるエアコンディショナ３ａをオンにして天井１の一端部から他端部に沿った空気の流れを生じさせて滞留した暖気を室内の下部に流すことができる。この時エアコンディショナ３ａから天井１に向けて噴出す送風空気としては、室内空気を温度調整することなく送風する場合と、室内空気をエアコンディショナ３ａで加温して送風する場合とが選択できるようしてもよく、このようにすることで、状況に応じたより多様な暖房形態を選択することができる。
【図面の簡単な説明】
【００２９】
【図１】本発明の概略構成図である。
【符号の説明】
【００３０】
１  天井
２  加熱手段
３  送風手段
３ａ  エアコンディショナ
４  温度センサ
５  温度センサ
６  制御部
【図１】
0005102687.tif 000002